(57)【要約】【課題】  建造物の配管改装に際して、既設配管を可及的簡易且つ確実に撤去できるようにする。【解決手段】  上層階と下層階のコンクリートスラブ１間の既設配管２を、その長手方向中間位置で部分的に切断除去し、上下に残存した残存配管２１の間に、接続冶具５ａ乃至５ｃを介して、ジャッキ３と押出管４を直列に配置し、ジャッキ３の作動によって押出管４を上下一方に進行させ、その接続冶具５ｃのフランジ５２によって上下一方の残存配管２１を押圧することによってコンクリートスラブ１から該残存配管２１を下層階又は上層階に強制的に押出撤去する。コンクリートスラブ１を斫る必要がなく、残ったコンクリートスラブ１の配管透孔に新設配管を配置すれば配管改装を完了できる。【選択図】  図１
2013164113.tif 000002
【特許請求の範囲】
【請求項１】
建造物の上層階と下層階のコンクリートスラブ間に位置する既設配管を長手方向中間位置で切断除去する既設配管中間除去工程と、該既設配管中間除去工程によって残存した上記上層階と下層階のコンクリートスラブに突出残存した上下の残存配管間にジャッキ及び残存配管押出撤去用の押出管を直列に接続配置する残存配管接続工程と、上記ジャッキ作動の押出管進行により残存配管の上下一方をそのコンクリートスラブから上方又は下方に押出撤去する残存配管押出撤去工程を備えることを特徴とする既設配管撤去方法。
【請求項２】
上記残存配管接続工程における残存配管、ジャッキ及び押出管の接続配置を、これらの間にそれぞれ接続用冶具を介して行うことを特徴とする請求項１に記載の既設配管撤去方法。
【請求項３】
上記残存配管接続工程における押出管を複数使用し、該複数の押出管相互を同じく接続用冶具を介して直列に接続配置することを特徴とする請求項１又は２に記載の既設配管撤去方法。
【請求項４】
建造物の上層階と下層階のコンクリートスラブ間に位置する既設配管を長手方向中間位置で切断除去し、その残存した上記上層階と下層階のコンクリートスラブに突出残存した上下の残存配管間にジャッキ及び残存配管押出撤去用の押出管を直列に接続配置し、上記ジャッキ作動の押出管進行により残存配管の上下一方をそのコンクリートスラブから上方又は下方に押出撤去するに際して、上記上下の残存配管間にジャッキ及び押出管を直列に接続配置するに用いる接続冶具であって、残存配管の端部接続部とジャッキの係合ロッド接続部を有する残存配管ジャッキ接続用、ジャッキの係合ロッド接続部と押出管の端部接続部を有するジャッキ押出管接続用、押出管の端部接続部と残存配管の端部接続部を有する押出管残存配管接続用の３箇所介設用を備えてなることを特徴とする既設配管撤去に用いる接続冶具。
【請求項５】
上記残存配管ジャッキ接続用及びジャッキ押出管接続用の接続冶具を、それぞれ残存配管又は押出管の端部中空部に嵌合する嵌合突部と残存配管又は押出管の外径に相応する外径のフランジを備えて断面Ｔ字状とするとともに該フランジの嵌合突部と逆面にジャッキの係合ロッド受入穴を備えて形成し、上記押出管残存配管接続用の接続冶具を、押出管及び残存配管の端部中空部に嵌合する異径一対の嵌合突部と該嵌合突部間の残存配管の外径に相応する外径のフランジを備えて断面十字状に形成してなることを特徴とする請求項４に記載の既設配管撤去に用いる接続冶具。
【請求項６】
上記３箇所介設用に加えて、残存配管の押出撤去に押出管の長さを延長自在とするように追加の押出管を用いるに際して、押出管相互の端部接続部を有する押出管相互接続用の接続冶具を追加的に備えてなることを特徴とする請求項４に記載の既設配管撤去に用いる接続冶具。
【請求項７】
上記押出管相互接続用の接続冶具を、押出管の端部中空部に嵌合する同径一対の嵌合突部と該押出管の外径に相応する外径のフランジを備えて断面十字状に形成してなることを特徴とする請求項６に記載の既設配管撤去に用いる接続冶具。
【発明の詳細な説明】
【技術分野】
【０００１】
本発明は、建造物の配管を改装するために、既設配管を撤去する既設配管撤去方法及び既設配管撤去に用いる接続冶具に関する。
【背景技術】
【０００２】
この種の既設配管撤去方法として、建造物の上層階と下層階のコンクリートスラブ間に位置する既設配管を長手方向中間位置で切断除去する既設配管中間除去工程と、該既設配管中間除去工程によって残存した下層階のコンクリートスラブに突出残存した残存配管を、コンクリートスラブに載置したジャッキに傾斜配置した支持金具の掴持孔に掴持する残存配管掴持工程と、ジャッキの作動により引抜時に引抜力を負荷し得るようにした支持金具を上昇して該下層階のコンクリートスラブの残存配管を上方に引抜撤去する残存配管引抜撤去工程を備えたものが知られている。
【先行技術文献】
【特許文献】
【０００３】
【特許文献１】特開２０１１−１３７３５９号公報
【発明の概要】
【発明が解決しようとする課題】
【０００４】
この場合、コンクリートスラブの透孔に配置した既設配管を順次上方に向けて引き抜くことができ、コンクリートスラブの斫りによる騒音、塵埃の発生を防止するとともに残存配管を引き抜いたコンクリートスラブの透孔に新規配管を配置することによって、短期間に比較的容易に配管の改装を行うことができるが、ジャッキを残存配管の近傍に設置するため、ジャッキの載置スペースが必要となり、狭小スペースでは作業ができなかったり、作業性が損なわれたりする可能性が残っている。
【０００５】
本発明はかかる事情に鑑みてなされたもので、解決課題とするところは、可及的簡易且つ確実に狭小スペースでも既設配管の撤去をなし得る既設配管撤去方法を提供するにあり、また、該既設配管撤去に用いる接続冶具を提供するにある。
【課題を解決するための手段】
【０００６】
上記課題に沿って本発明は、上層階と下層階のコンクリートスラブ間の既設配管を長手方向中間位置で切断除去した除去跡に、コンクリートスラブに突出残存した残存配管を一連に連結するように、ジャッキと残存配管押出撤去用の押出管を上記残存配管と直列に接続配置し、ジャッキの作動による押出管の進行により上下一方の残存配管をコンクリートスラブの上方又は下方、排水集合管を用いた場合は上方に強制的に押出撤去するようにしたものであって、即ち、請求項１に記載の発明を、建造物の上層階と下層階のコンクリートスラブ間に位置する既設配管を長手方向中間位置で切断除去する既設配管中間除去工程と、該既設配管中間除去工程によって残存した上記上層階と下層階のコンクリートスラブに突出残存した上下の残存配管間にジャッキ及び残存配管押出撤去用の押出管を直列に接続配置する残存配管接続工程と、上記ジャッキ作動の押出管進行により残存配管の上下一方をそのコンクリートスラブから上方又は下方に押出撤去する残存配管押出撤去工程を備えることを特徴とする既設配管撤去方法としたものである。
【０００７】
請求項２に記載の発明は、上記に加えて、残存配管、ジャッキ及び押出管の接続配置を接続用の冶具を用いて行うことによって、安定して残存配管に押出圧を負荷し得るものとするように、これを、上記残存配管接続工程における残存配管、ジャッキ及び押出管の接続配置を、これらの間にそれぞれ接続用冶具を介して行うことを特徴とする請求項１に記載の既設配管撤去方法としたものである。
【０００８】
請求項３に記載の発明は、同じく上記に加えて、上記既設配管中間除去工程の切断除去又は押出管の長さが不足して、残存配管がコンクリートスラブ内に留まって、その押出撤去をなし得ない場合等に、押出管を更に追加使用して押出撤去をなし得るものとするように、これを、上記残存配管接続工程における押出管を複数使用し、該複数の押出管相互を同じく接続用冶具を介して直列に接続配置することを特徴とする請求項１又は２に記載の既設配管撤去方法としたものである。
【０００９】
請求項４に記載の発明は、上記既設配管撤去の上記残存配管、ジャッキ、押出管を直列に接続配置するに用いる接続冶具を提供するように、これを、建造物の上層階と下層階のコンクリートスラブ間に位置する既設配管を長手方向中間位置で切断除去し、その残存した上記上層階と下層階のコンクリートスラブに突出残存した上下の残存配管間にジャッキ及び残存配管押出撤去用の押出管を直列に接続配置し、上記ジャッキ作動の押出管進行により残存配管の上下一方をそのコンクリートスラブから上方又は下方に押出撤去するに際して、上記上下の残存配管間にジャッキ及び押出管を直列に接続配置するに用いる接続冶具であって、残存配管の端部接続部とジャッキの係合ロッド接続部を有する残存配管ジャッキ接続用、ジャッキの係合ロッド接続部と押出管の端部接続部を有するジャッキ押出管接続用、押出管の端部接続部と残存配管の端部接続部を有する押出管残存配管接続用の３箇所介設用を備えてなることを特徴とする既設配管撤去に用いる接続冶具としたものである。
【００１０】
請求項５に記載の発明は、上記に加えて、残存配管、ジャッキ、押出管の接続配置を安定且つ確実になし得る接続冶具とするように、これを、上記残存配管ジャッキ接続用及びジャッキ押出管接続用の接続冶具を、それぞれ残存配管又は押出管の端部中空部に嵌合する嵌合突部と残存配管又は押出管の外径に相応する外径のフランジを備えて断面Ｔ字状とするとともに該フランジの嵌合突部と逆面にジャッキの係合ロッド受入穴を備えて形成し、上記押出管残存配管接続用の接続冶具を、押出管及び残存配管の端部中空部に嵌合する異径一対の嵌合突部と該嵌合突部間の残存配管の外径に相応する外径のフランジを備えて断面十字状に形成してなることを特徴とする請求項４に記載の既設配管撤去に用いる接続冶具としたものである。
【００１１】
請求項６に記載の発明は、同じく上記に加えて、３箇所介設用の接続冶具に加えて、押出管を更に追加使用するに際して該押出管相互を接続する接続冶具を備えたものとするように、これを、上記３箇所介設用に加えて、残存配管の押出撤去に押出管の長さを延長自在とするように追加の押出管を用いるに際して、押出管相互の端部接続部を有する押出管相互接続用の接続冶具を追加的に備えてなることを特徴とする請求項４に記載の既設配管撤去に用いる接続冶具としたものである。
【００１２】
請求項７に記載の発明は、同じく上記に加えて、接続冶具を既設配管の押出撤去に適した形状のものとするように、これを、上記押出管相互接続用の接続冶具を、押出管の端部中空部に嵌合する同径一対の嵌合突部と該押出管の外径に相応する外径のフランジを備えて断面十字状に形成してなることを特徴とする請求項６に記載の既設配管撤去に用いる接続冶具としたものである。
【発明の効果】
【００１３】
本発明は以上のとおりに構成したから、請求項１に記載の発明は、上層階と下層階のコンクリートスラブ間の既設配管を長手方向中間位置で切断除去した除去跡に、コンクリートスラブに突出残存した残存配管を一連に連結するように、ジャッキと残存配管押出撤去用の押出管を上記残存配管と直列に接続配置し、ジャッキの作動による押出管の進行により上下一方の残存配管をコンクリートスラブの上方又は下方、排水集合管を用いた場合は上方に強制的に押出撤去することによって、可及的簡易且つ確実に狭小スペースでも既設配管の撤去をなし得る既設配管撤去方法を提供することができる。
【００１４】
請求項２に記載の発明は、上記に加えて、残存配管、ジャッキ及び押出管の接続配置を接続用の冶具を用いて行うことによって、安定して残存配管に押出圧を負荷し得るものとすることができる。
【００１５】
請求項３に記載の発明は、同じく上記に加えて、上記既設配管中間除去工程の切断除去又は押出管の長さが不足して、残存配管がコンクリートスラブ内に留まって、その押出撤去をなし得ない場合等に、押出管を更に追加使用して押出撤去をなし得るものとすることができる。
【００１６】
請求項４に記載の発明は、上記既設配管撤去の上記残存配管、ジャッキ、押出管を直列に接続配置するに用いる接続冶具を提供することができる。
【００１７】
請求項５に記載の発明は、上記に加えて、残存配管、ジャッキ、押出管の接続配置を安定且つ確実になし得る接続冶具とすることができる。
【００１８】
請求項６に記載の発明は、同じく上記に加えて、３箇所介設用の接続冶具に加えて、押出管を更に追加使用するに際して該押出管相互を接続する接続冶具を備えたものとすることができる。
【００１９】
請求項７に記載の発明は、同じく上記に加えて、接続冶具を既設配管の押出撤去に適した形状のものとすることができる。
【図面の簡単な説明】
【００２０】
【図１】既設配管撤去方法の工程を示す説明図である。
【図２】残存配管押出撤去工程の他の例を示す説明図である。
【図３】残存配管ジャッキ接続用の接続冶具の側面図である。
【図４】残存配管ジャッキ接続用の接続冶具の平面図である。
【図５】残存配管ジャッキ接続用の接続冶具の底面図である。
【図６】ジャッキ押出管接続用の接続冶具の側面図である。
【図７】ジャッキ押出管接続用の接続冶具の平面図である。
【図８】ジャッキ押出管接続用の接続冶具の底面図である。
【図９】押出管残存配管接続用の接続冶具の側面図である。
【図１０】押出管残存配管接続用の接続冶具の平面図である。
【図１１】押出管残存配管接続用の接続冶具の底面図である。
【図１２】押出管相互接続用の接続冶具の側面図である。
【図１３】押出管相互接続用の接続冶具の平面図である。
【図１４】押出管相互接続用の接続冶具の底面図である。
【発明を実施するための形態】
【００２１】
以下図面の例に従って本発明を更に具体的に説明すれば、本発明の既設配管撤去方法は、図１に示すように、既設配管中間除去工程と、残存配管接続工程と、残存配管押出撤去工程を備えるものとしてあり、既設配管中間除去工程は、これを、建造物の上層階と下層階のコンクリートスラブ１間に位置する既設配管２を長手方向中間位置で切断除去する工程とし、残存配管接続工程は、これを、該既設配管中間除去工程によって残存した上記上層階と下層階のコンクリートスラブ１に突出残存した上下の残存配管２１間にジャッキ３及び残存配管押出撤去用の押出管４を直列に接続配置する工程とし、残存配管押出撤去工程は、これを、上記ジャッキ３作動の押出管４進行により残存配管２１の上下一方をそのコンクリートスラブ１から上方又は下方に押出撤去する工程としてある。
【００２２】
本例にあって既設配管撤去方法は、その上記残存配管接続工程における残存配管２１、ジャッキ３及び押出管４の接続配置を、これらの間にそれぞれ接続用冶具５ａ乃至５ｃを介して行うものとしてあり、このとき、必要に応じて、図２に示すように、上記残存配管接続工程における押出管４を複数使用し、該複数の押出管相互を同じく接続用冶具５ｄを介して直列に接続配置するものとしてある。
【００２３】
即ち、既設配管撤去は、マンション等の建造物における配管改装を行うについて、各階のコンクリートスラブ１を貫通するように各コンクリートスラブ１に透設した配管透孔にモルタル固定された、例えば上下水管やガス管等を、コンクリートスラブ１に斫り工事を施すことなく、上記工程によって、該コンクリートスラブ１から下階乃至上階に押出撤去するように行い、撤去した既設配管２１に代えて図示省略の新規配管を、該コンクリートスラブ１の配管透孔に交換的に設置するように行うものとしてある。これによって、コンクリートスラブ１の既設配管２近傍を斫って、既設配管２を撤去する場合に比して、斫りに不可避的に伴う騒音や塵埃の発生を抑制して、既設配管の撤去工事を可及的容易且つ確実になし得るようにしてある。
【００２４】
既設配管中間除去工程は、建造物の各フロアーをなすコンクリートスラブ１間を貫通設置されている老朽化した改装対象の既設配管２を、上層階と下層階のコンクリートスラブ１に上層階から垂下し、下層階から起立した所定長さの残存配管２１として部分的に突出残存するように、該既設配管２の長手方向中間位置で適宜長さ、例えば１〜１．５ｍ程度の長さにカッターを用いて部分的に切断除去することによって、該長手方向中間位置を開放するように、これを行うものとしてある。
【００２５】
既設配管中間除去工程後に残存配管接続工程として、上記開放した切断除去部位の残存配管２１間にジャッキ３及び押出管４を、例えば上方から下方に向けて上位の残存配管２１、ジャッキ３、押出管４、下位の残存配管２１の順番で、本例にあってはそれぞれ接続冶具５ａ乃至５ｄを介して直列に接続配置して、残存配管押出撤去工程に移行して、ジャッキ３を作動し、押出管４によって、該押出管配置側の、本例にあって下位の残存配管２１を、コンクリートスラブ１から、例えば下層階に強制的に押出落下して撤去するようにすればよい。
【００２６】
このときジャッキ３は、油圧、空圧、機械式等、コンクリートスラブ１の残存配管２１間で押出管４を、押出撤去対象の残存配管２１方向に向けて加圧し得るものであればよく、本例にあっては分離式の油圧ジャッキを用いて、その本体をコンクリートスラブ１の工事の邪魔とならない空スペースに置き、該本体操作によって油圧シリンダーを上記係合ロッドとして上記直列配置用に接続配置するようにしてある。
【００２７】
押出管４は、残存配管押出撤去用のものとして、例えば、既設配管２の中空部に挿入し得る該既設配管２より径小のものを用いるものとしてあり、押出管４として所定長さの未使用の配管や専用のものを用いることができるが、例えば、配管改装現場で得られる廃材の、上記既設配管の１乃至２段階程度下の呼び径のものを適宜長さに切断したものであってもよい。
【００２８】
残存配管２１、ジャッキ３、押出管４及び残存配管２１の接続は、接続冶具５ａ乃至５ｃをこれらの間に介設して、これらの端部を相互に一体化するように、これを行うものとしてあり、このとき該接続冶具は、残存配管２１の端部接続部とジャッキ３の係合ロッド接続部を有する残存配管ジャッキ接続用５ａ、ジャッキの係合ロッド受入穴５３と押出管４の端部接続部を有するジャッキ押出管接続用５ｂ、押出管４の端部接続部と残存配管２１の端部接続部を有する押出管残存配管接続用５ｃの３箇所介設用のものを用いるようにしてある。このとき、一般には該３箇所介設用の接続冶具５ａ乃至５ｃを用いることによって残存配管２１の押出撤去をなし得るが、例えば、上記既設配管２の長手方向中間位置における切断除去の長さが不足したり、該中間位置に配置するように用意した押出管４の長さが短かったりして、残存配管２１の押出長さを確保し得ず、残存配管２１の端部、例えば上端がコンクリートスラブ１内に止まって撤去をなし得ないようなときに、上記３箇所介設用に加えて、上記図２に示すように、残存配管２１の押出撤去に押出管４の長さを延長自在とするように追加の押出管４１を用いることがあるも、該追加の押出管４１を用いるに際しては、押出管４、４１相互の端部接続部を有する押出管相互接続用の接続冶具５ｄを追加的に備えて、例えば合計４箇所介設用のものとすることができる。該介設用の接続冶具５ｄは、これを、押出管４、４１の端部中空部に嵌合する同径一対の嵌合突部５１と該押出管４の外径に相応する外径のフランジ５２を備えて断面十字状に形成したものとしてある。
【００２９】
接続冶具５ａ乃至５ｄは、例えば真鍮、鋼等の金属材に切削加工を施して形成した金属製のブロック体としてあり、本例にあって、上記残存配管ジャッキ接続用５ａ及びジャッキ押出管接続用５ｂの接続冶具は、これを、それぞれ残存配管２１又は押出管４の端部中空部に嵌合する嵌合突部５１と残存配管２１又は押出管４の外径に相応する外径のフランジ５２を備えて断面Ｔ字状とするとともに該フランジ５２の嵌合突部５１とは逆面にジャッキ３の係合ロッド受入穴５３を備えて形成してあり、また、上記押出管残存配管接続用５ｃの接続冶具は、これを、押出管４及び残存配管２１の端部中空部に嵌合する異径一対の嵌合突部と該嵌合突部５１間の残存配管２１の外径に相応する外径のフランジ５２を備えて断面十字状に形成してある。
【００３０】
即ち、残存配管ジャッキ接続用の接続冶具５ａは、例えば、図３乃至図５に示すように、残存配管の端部接続部として嵌合突部５１を用い、該嵌合突部５１の外径を残存配管２１の内径に合せ、フランジ５２を残存配管２１の外径に合せるかこれより径大とし、該フランジ５２の係合ロッド接続部として係合ロッド受入穴５３を、本例にあって油圧ジャッキの油圧シリンダーを受け入れて該シリンダーの先端を被嵌するように、その外径に合せる一方、フランジ５２を厚肉とすることによって上記断面Ｔ字状のものとしてあり、本例にあって該接続冶具５ａは、例えば呼び径５０Ａの場合、その嵌合突部の厚さを２〜３ｃｍ、フランジ厚さを２ｃｍ程度とした平面円形をなすものとしてある。
【００３１】
ジャッキ押出管接続用の接続冶具５ｂは、図６乃至図８に示すように、同じく押出管の端部接続部として嵌合突部５１を用い、該嵌合突部５１の外径を押出管４の内径に合せ、フランジ５２の外径を該押出管４の外径に合せるかこれより径大とし、該フランジ５２の係合ロッド接続部として係合ロッド受入穴５３を、同じく油圧シリンダーを受け入れてこれを被嵌するように、その外径に合せる一方、フランジ５３を厚肉とすることによって同様に断面Ｔ字状のものとしてあり、本例にあって該接続冶具５ｂは、同じく呼び径５０Ａの場合、その嵌合突起５１の厚さを２〜３ｃｍ、フランジ厚さを２ｃｍ程度とした同じく平面円形をなすものとしてある。
【００３２】
上記押出管残存配管接続用の接続冶具５ｃは、図９乃至図１１に示すように、残存配管２１の端部接続部として異径一対の嵌合突部５１を用い、該異径一対のうちその一方の嵌合突部５１の外径を押出管４の内径、他方の嵌合突部５１の外径を残存配管２１の内径に合せ、嵌合突部５１間のやや厚めのフランジ５２の外径を残存配管２１の外径に合せて断面十字状のものとしてあり、本例にあって該接続冶具５ｃは、同じく呼び径５０Ａの場合、その異径一対の嵌合突部５１の厚さをそれぞれ２〜３ｃｍ、フランジ５２の厚さを０．５〜１ｃｍ程度とした同じく平面円形をなすものとしてある。
【００３３】
また、必要に応じて追加の押出管４１を用いるときの上記押出管相互接続用の接続冶具５ｄは、図１２乃至図１４に示すように、同径の押出管４、４１相互の端部接続部として同径一対の嵌合突部５１を用い、該同径一対の嵌合突部５１の外径を同径の押出管４、４１の内径に合せるとともにこれら嵌合突部５１間の同じくやや厚めのフランジ５２の外径を該同径の押出管４、４１の外径に合せて同様に断面十字状のものとしてあり、本例にあって該接続冶具５ｄは、同じく呼び径５０Ａの場合、その同径一対の嵌合突部５１の厚さをそれぞれ２〜３ｃｍ、フランジ厚さを０．５〜１ｃｍ程度とした同じく平面円形をなすものとしてある。
【００３４】
このように３箇所介設用の接続冶具５ａ乃至５ｃ又はこれに追加の押出管４１を用いるときの押出管相互接続用の接続冶具５ｄによれば、３箇所介設用のうち、残存配管ジャッキ接続用５ａとジャッキ押出管接続用の接続冶具５ｂは、残存配管２１又は押出管４に嵌合突部５１を嵌合して、フランジ５２が該残存配管２１又は押出管４の長手方向端部に対接し、該フランジ５２が没入防止のストッパー機能を発揮して、これら残存配管２１又は押出管４に対して没入することなく、残存配管２１又は押出管４の間にジャッキ３を配置することによって、該ジャッキ３の作動によって押出管４を、本例にあっては下方に押圧進行させることができるとともに３箇所介設用のうち押出管残存配管接続用の接続冶具５ｃ及び追加使用することある押出配管相互接続用の接続冶具５ｄは、残存配管２１又は押出管４又は４１に嵌合突部５１を嵌合して、そのフランジ５２が押出管４又は４１の長手方向端部に対接して、該押出管４又は４１に対して没入防止のストッパー機能を発揮して押出管４又は４１に没入することなく、一方、押出管４又は４１は残存配管２１より径小であり且つ該フランジ５２が残存配管２１の外径と同径であるから、接続冶具５ｃ、５ｄ及び押出管４又は４１は、フランジ５２が残存配管２１の端部に対接した状態でコンクリートスラブ１の配管透孔内を進行可能であり、従って、上記ジャッキ３の作動による押出管４又は４１の進行に応じて、上方一方の残存配管２１のコンクリートスラブ１の設置固定状態で、コンクリートスラブ１の配管透孔内に既設配管２の設置に際して空隙を埋めるように充填したモルタルを破断しつつ残存配管２１を、本例にあっては下層階のコンクリートスラブ１の下方に向けて押出撤去する押出力を作用させることができる。
【００３５】
上記接続冶具５ａ乃至５ｃ又は５ａ乃至５ｄを用いた本例の建造物の既設配管２の撤去は、例えば上層階から下層階に各階層毎に、既設配管中間除去工程、残存配管接続工程、残存配管押出撤去工程を施すことによって、これを行うことができ、該撤去後に、既設配管２に代えて、新設配管の配管を行うことによって配管改装を完了できる。既設配管２の撤去は、コンクリートスラブ１の残存配管２１を強制的に下層階に押出落下して撤去することによって、これを行うことができるから、上層階から下層階に向けて上記各工程を施して、これを順次撤去すればよく、撤去作業を容易に行うことができる。
【００３６】
一方、該接続冶具５ａ乃至５ｃ又は５ａ乃至５ｄを用いた建造物の既設配管２の撤去は、上記直列の接続配置を、上方から残存配管２１、押出管４、ジャッキ３、残存配管２１の順に行って、ジャッキ３作動によって、上層階のコンクリートスラブ１から該コンクリートスラブ１の残存配管２１を上層階に向けて同様に押出撤去することができる。このように上層階に向けた残存配管２１の押出撤去は、例えば、排水集合管を用いて各階の下水管（排水管）をコンクリートスラブ１上で分岐してある場合に有効である。即ち、排水集合管は、その継手突出の分岐部位をコンクリートスラブ１上に載置し、その下位の胴部をコンクリートスラブ１の配管透孔に挿入支持し、該胴部に既設配管を接続したものとされるから、該分岐部位が障害となってコンクリートスラブの配管透孔を下方には押出撤去をなし得ないが、逆にコンクリートスラブ１の上方にはそのまま押出撤去し得るから、該排水集合管を用いた現場にあっては、例えば下層階から上層階に向けて上記各工程を施して、これを順次上方に向けて撤去を行うようにすれば、残存配管２１の上方への押出に伴って、排水集合管もコンクリートスラブ１上に押し出されて、該排水集合管とともに残存配管２１をコンクリートスラブ１上に強制的に押出撤去することが可能であり、同じく撤去作業を容易に行うことができる。
【００３７】
このように建造物の既設配管撤去方法を用いることによって、既設配管２１の撤去は、これを可及的簡易且つ確実に行うことができ、上記のように油圧シリンダーを用いた場合でも、そのジャッキ３をコンクリートスラブ１上に載置し得るスペースがあれば、該既設配管２１の撤去を行うことが可能であるから、各種既設配管を１ヶ所に集合配置することによって、撤去作業を行うのに狭小のスペースしか得られないような現場でも、特段の障害もなく該既設配管の撤去を行うことができる。
【００３８】
図中５４は、これら接続冶具５ａ乃至５ｄによる残存配管２１、ジャッキ３、押出管４又は４１、残存配管２１の直列接続に際して、これら接続冶具にエアが滞留して接続がスムーズになし得ない結果とならないように該接続冶具５ａ乃至５ｄを貫通するように配置したエア抜き孔である。
【００３９】
図示した例は以上のとおりとしたが、空圧や機械式のジャッキを用いるとき、その上下に係合ロッドを配置し、該係合ロッドを上記接続冶具の各係合ロッド受入穴に挿入嵌合すること、上記３箇所介設用の接続冶具又はこれに追加した押出管相互接続用の接続冶具を、既設配管及び押出管の外径乃至内径に合せて複数種のセットとして市場供給し、配管改装現場の既設配管の径に拘らずその撤去をなし得るようにすること、押出管を既存配管を利用することなく、既設配管の径に合せた専用のものとして具備するようにすること等を含めて、既設配管中間除去工程、残存配管接続工程、残存配管押出撤去工程、残存配管、ジャッキ、押出管、接続用冶具、必要に応じて用いる残存配管ジャッキ接続用、ジャッキ押出管接続用、押出管残存配管接続用、押出管相互接続用の各接続用冶具、嵌合突部、フランジ、係合ロッド受入穴等の各具体的形状、構造、材質、これらの関係、これらに対する付加等は、上記発明の要旨に反しない限り様々な形態のものとすることができる。
【符号の説明】
【００４０】
１  コンクリートスラブ
２  既設配管
２１  残存配管
３  ジャッキ
４  押出管
４１  追加の押出管
５ａ  残存配管ジャッキ接続用接続冶具
５ｂ  ジャッキ押出管接続用接続冶具
５ｃ  押出管残存配管接続用接続冶具
５ｄ  押出管相互接続用接続冶具
５１  嵌合突部
５２  フランジ
５３  係合ロッド受入穴
５４  エア抜き孔
【図１】
2013164113.tif 000003
【図２】
2013164113.tif 000004
【図３】
2013164113.tif 000005
【図４】
2013164113.tif 000006
【図５】
2013164113.tif 000007
【図６】
2013164113.tif 000008
【図７】
2013164113.tif 000009
【図８】
2013164113.tif 000010
【図９】
2013164113.tif 000011
【図１０】
2013164113.tif 000012
【図１１】
2013164113.tif 000013
【図１２】
2013164113.tif 000014
【図１３】
2013164113.tif 000015
【図１４】
2013164113.tif 000016